(57)【特許請求の範囲】
【請求項１】
一方の部材と他方の部材とが互いに離接する方向に移動可能に取り付けられた部材取付構造において、
前記他方の部材から、前記一方の部材の側面部に沿って前記離接する方向に突出するように板状の係止片を延長し、該係止片に四角形の窓開口を形成すると共に、前記一方の部材の側面部に、前記窓開口内に挿入される四角形の突部を形成し、
前記四角形の突部の前記離接する方向に沿う両側縁部の一方には、斜めに切り込まれて略三角形状に凹まされたスライド溝が形成されると共に、他方の側縁部は前記スライド溝を形成する前記一方の側縁部と略平行なテーパ形状に形成され、
前記四角形の窓開口周縁部の前記離接する方向に沿う両側縁部の一方は、前記スライド溝の凹みに略合致する形状を有し、他方の側縁部は前記窓開口周縁部の前記一方の側縁部と略平行なテーパ形状に形成され、
前記窓開口周縁部の前記一方の側縁部が前記スライド溝に挿入されることで、前記係止片の前記離接する方向の移動がガイドされると共に、前記係止片が前記突部から外れるのを防止する外れ防止手段が設けられ、
前記両部材を離間させる方向に移動させた場合に前記窓開口の周縁部の下辺部と前記突部の下辺部とが当接して移動が停止されるように構成されていることを特徴とする部材取付構造。
【請求項２】
前記他方の部材の前記係止片は、前記一方の部材の前記突部の外側に位置しないように配置されていることを特徴とする請求項１に記載の部材取付構造。
【請求項３】
前記両部材を接近させる方向に移動させた場合に前記窓開口の周縁部の上辺部と前記突部の上辺部とが当接して移動が停止されるようにしたことを特徴とする請求項１又は２記載の部材取付構造。
【請求項４】
前記一方の部材は、ＩＣソケットのソケット本体であり、該ソケット本体には、ＩＣパッケージ端子に電気的に接続されるコンタクトピンが配設され、前記他方の部材は、前記ソケット本体に対して上下動自在に配設された操作部材であり、該操作部材を上下動させることにより、前記コンタクトピンを弾性変形させて前記ＩＣパッケージ端子に離接するようにしたことを特徴とする請求項１乃至３の何れか一つに記載の部材取付構造。
【発明の詳細な説明】
【０００１】
【発明の属する技術分野】
この発明は、一方の部材と他方の部材とが互いに離接する方向に移動可能に取り付けられた部材取付構造、特に、その取付部分の改良に関するものである。
【０００２】
【従来の技術】
従来からこの種の構造が採用されたものとして、ＩＣパッケージを収容してバーンインテスト等を行うＩＣソケットがある。
【０００３】
そのＩＣパッケージとしては、例えばＢＧＡ（Ball Grid Array）タイプと称されるものがあり、これはパッケージ本体の下面に球形端子としての多数の半田ボールが突設され、これら半田ボールが縦列と横列とに格子状に配列されている。
【０００４】
一方、ＩＣソケットは、いわゆるオープントップタイプと称されるものであって、ＩＣパッケージが収容されるソケット本体に、そのＩＣパッケージの端子と接触されるコンタクトピンが配設されると共に、そのコンタクトピンを弾性変形させてＩＣパッケージの端子に離接させる操作部材が、ソケット本体に対して上下動自在に配設されている。
【０００５】
そのソケット本体と操作部材とは、例えば図１０に示すように取り付けられている。すなわち、ソケット本体１には、側面部１ａに被係止部１ｂが突設される一方、操作部材２には、その側面部１ａに沿って下方に向けて係止片２ａが延長され、この係止片２ａの下端部にフック部２ｂが形成され、このフック部２ｂがソケット本体１の被係止部１ｂに係止されるようになっている。
【０００６】
【発明が解決しようとする課題】
しかしながら、このような従来のものにあっては、操作部材２の係止片２ａがソケット本体１の被係止部１ｂの外側に沿って配設されているため、外形寸法Ｌ１が大きくなってしまう。また、操作部材２の最上昇位置でフック部２ｂが、図１０のように、ソケット本体１の被係止部１ｂに係止されるようになっているが、それ以外の操作部材２の上下動の途中では、そのフック部２ｂと被係止部１ｂとが係止状態にないため、操作部材２の上下動時に、他の部分で操作部材２の外れを防止したり、上下動時のガイドを行ったりしなければならず、構造が複雑になるという問題があった。
【０００７】
そこで、この発明は、外形を小さくできると共に、同じ部分で移動時のガイドと外れを防止できて構造を簡単にできる部材取付構造を提供することを課題としている。
【０００８】
【課題を解決するための手段】
かかる課題を達成するために、請求項１に記載の発明は、一方の部材と他方の部材とが互いに離接する方向に移動可能に取り付けられた部材取付構造において、前記他方の部材から、前記一方の部材の側面部に沿って前記離接する方向に突出するように板状の係止片を延長し、該係止片に四角形の窓開口を形成すると共に、前記一方の部材の側面部に、前記窓開口内に挿入される四角形の突部を形成し、前記四角形の突部の前記離接する方向に沿う両側縁部の一方には、斜めに切り込まれて略三角形状に凹まされたスライド溝が形成されると共に、他方の側縁部は前記スライド溝を形成する前記一方の側縁部と略平行なテーパ形状に形成され、前記四角形の窓開口周縁部の前記離接する方向に沿う両側縁部の一方は、前記スライド溝の凹みに略合致する形状を有し、他方の側縁部は前記窓開口周縁部の前記一方の側縁部と略平行なテーパ形状に形成され、前記窓開口周縁部の前記一方の側縁部が前記スライド溝に挿入されることで、前記係止片の前記離接する方向の移動がガイドされると共に、前記係止片が前記突部から外れるのを防止する外れ防止手段が設けられ、前記両部材を離間させる方向に移動させた場合に前記窓開口の周縁部の下辺部と前記突部の下辺部とが当接して移動が停止されるように構成されていることを特徴とする。
【０００９】
請求項２に記載の発明は、請求項１に記載の構成に加え、前記他方の部材の前記係止片は、前記一方の部材の前記突部の外側に位置しないように配置されていることを特徴とする。
【００１０】
請求項３に記載の発明は、請求項１又は２に記載の構成に加え、前記両部材を接近させる方向に移動させた場合に前記窓開口の周縁部の上辺部と前記突部の上辺部とが当接して移動が停止されるようにしたことを特徴とする。
【００１１】
請求項４に記載の発明は、請求項１乃至３の何れか一つに記載の構成に加え、前記一方の部材は、ＩＣソケットのソケット本体であり、該ソケット本体には、ＩＣパッケージ端子に電気的に接続されるコンタクトピンが配設され、前記他方の部材は、前記ソケット本体に対して上下動自在に配設された操作部材であり、該操作部材を上下動させることにより、前記コンタクトピンを弾性変形させて前記ＩＣパッケージ端子に離接するようにしたことを特徴とする。
【００１２】
【発明の実施の形態】
以下、この発明の実施の形態について説明する。
【００１３】
図１乃至図９には、この発明の実施の形態を示す。
【００１４】
まず構成を説明すると、図中符号１１はこの発明が適用されたＩＣソケットである。このＩＣソケット１１は、図９に示すようなＩＣパッケージ１２の性能試験を行うために、このＩＣパッケージ１２の「球形端子」としての半田ボール１２ｂと、測定器（テスター）のプリント配線板（図示省略）との電気的接続を図るものである。
【００１５】
このＩＣパッケージ１２は、いわゆるＢＧＡ（Ball Grid Array）タイプと称されるもので、方形状のパッケージ本体１２ａの下面に「端子」としての多数の半田ボール１２ｂが縦列と横列とにマトリックス状に配列されている。
【００１６】
一方、ＩＣソケット１１は、大略すると、図示省略のプリント配線板上に装着される合成樹脂製のソケット本体１３を有し、このソケット本体１３には、ＩＣパッケージ１２の各半田ボール１２ｂに離接されるコンタクトピン１５が配設されると共に、このコンタクトピン１５を弾性変形させる移動部材１７が配設され、更に、この移動部材１７の上側に、トッププレート１９がそのソケット本体１３に固定されて配設されている。また、移動部材１７を横方向に移動させる「他方の部材」としての操作部材２１が、「一方の部材」としてのソケット本体１３に対して上下方向（離接する方向）に移動可能に取り付けられている。
【００１７】
コンタクトピン１５は、バネ性を有し、導電性に優れた板材がプレス加工により形成されている。
【００１８】
このコンタクトピン１５は、下部に、図３に示すように、１本のソルダーテール部１５ｃが形成され、上部に、図８に示すように、一対の弾性片である可動側弾性片１５ａ及び固定側弾性片１５ｂが形成されている。また、それら一対の弾性片１５ａ，１５ｂの上端部（先端部）には、ＩＣパッケージ１２の半田ボール１２ｂの側面部に離接する接触部１５ｅ，１５ｆが形成され、この両接触部１５ｅ，１５ｆで半田ボール１２ｂが挟持されてコンタクトピン１５と半田ボール１２ｂとが電気的に接続されるようになっている。
【００１９】
そして、かかるコンタクトピン１５がソケット本体１３に圧入されて配設され、ソケット本体１３から下方に突出したソルダーテール部１５ｃが、図３に示すように、ロケートボード２６を介して更に下方に突出され、図示省略のプリント配線板の各貫通孔に挿通されて半田付けされることにより、コンタクトピン１５とプリント配線板とが接続されるようになっている。
【００２０】
このようなコンタクトピン１５は、ＩＣパッケージ１２の半田ボール１２ｂと同じピッチで、縦列と横列とに格子状に配列されている。
【００２１】
また、移動部材１７は、水平方向（図８中左右方向）に移動自在に配設され、この移動部材１７を移動させることにより、ソケット本体１３に配設されたコンタクトピン１５の可動側弾性片１５ａが弾性変形されて図８の（ｂ）に示すように変位されるようになっている。
【００２２】
この移動部材１７は、操作部材２１を上下動させることにより、図示省略の機構を介して移動されるようになっており、この移動部材１７には、可動側弾性片１５ａを押圧して弾性変形させる押圧部１７ａが形成されている。
【００２３】
トッププレート１９は、図１，図２及び図８に示すように、ＩＣパッケージ１２が上側に載置される載置面部１９ａを有する。この載置面部１９ａには、図８に示すように、一対の接触部１５ｅ，１５ｆが収容される収容孔１９ｂが、コンタクトピン１５のピッチに合わせて形成され、この収容孔１９ｂ内には、各コンタクトピン１５の一対の接触部１５ｅ，１５ｆの間に挿入される位置決めリブ１９ｃが形成され、コンタクトピン１５の両弾性片１５ａ，１５ｂに外力が作用していない状態（両接触部１５ｅ，１５ｆが閉じた状態）では、その位置決めリブ１９ｃは、両弾性片１５ａ，１５ｂにて挟持された状態となっている。
【００２４】
操作部材２１は、図１及び図２に示すように、四角形の枠形状を呈し、ＩＣパッケージ１２が挿入可能な大きさの開口２１ａを有し、この開口２１ａを介してＩＣパッケージ１２が挿入されて、トッププレート１９の載置面部１９ａ上の所定位置に載置されるようになっている。
【００２５】
また、この操作部材２１は、ソケット本体１３に対して互いに離接する方向（上下方向）に移動自在に配設され、スプリング２２により上方に付勢されている。
【００２６】
その操作部材２１の４つの側面のそれぞれから下方に向けて、ソケット本体１３の側面部１３ａに沿うように板状の係止片２１ｂが延長されている。そして、これら各係止片２１ｂには四角形の窓開口２１ｃが形成され、この窓開口２１ｃに、ソケット本体１３の側面部１３ａに突設された突部１３ｂが挿入されている。
【００２７】
この窓開口２１ｃ及び突部１３ｂの大きさは、突部１３ｂが上下方向（離接する方向）に所定量移動可能な大きさに形成されている。つまり、操作部材２１の最上昇位置で、図１及び図４に示すように、突部１３ｂの下辺部である下面１３ｃに、操作部材２１の窓開口２１ｃの下辺部２１ｄ（一辺部）が当接することにより、操作部材２１の上昇が規制され、又、操作部材２１の最下降位置で、図７に示すように、突部１３ｂの上辺部である上面１３ｄに、操作部材２１の窓開口２１ｃの上辺部２１ｅ（他辺部）が当接することにより、操作部材２１の下降が規制されるようになっている。
【００２８】
また、図４乃至図７に示すように、その窓開口２１ｃの周縁部の、上下方向に沿う一方の側縁部２１ｆと、ソケット本体１３の突部１３ｂの、上下方向に沿う一方の側縁部１３ｅとの間に、係止片２１ｂが突部１３ｂから外れるのを防止する「外れ防止手段」が設けられている。
【００２９】
この「外れ防止手段」は、ソケット本体１３の突部１３ｂの側縁部１３ｅに、斜めに切り込まれて図５中断面にみて、略三角形状に凹まされたスライド溝１３ｆが形成され、このスライド溝１３ｆに、スライド溝１３ｆの凹みに略合致する形状を有する窓開口２１ｃの一方のテーパ形状の側縁部２１ｆが係合されている。これにより、係止片２１ｂが突部１３ｂから図５中矢印Ｆ方向（ソケット外方）に外れないようになっていると共に、その係止片２１ｂの側縁部２１ｆが、スライド溝１３ｆ内を上下動することにより、操作部材２１が上下方向にガイドされながら移動可能となっている。また、ソケット本体１３の突部１３ｂの側縁部１３ｅとは反対側の側縁部１３ｇと、操作部材２１の係止片２１ｂの一方の側縁部２１ｆとは反対側の他方の側縁部２１ｇも、それぞれ、スライド溝１３ｆ、側縁部２１ｆと略平行なテーパ形状に形成されている。
【００３０】
図１及び図２中符号２４は、トッププレート１９の載置面部１９ａ上に収容されたＩＣパッケージ１２を押さえるラッチである。このラッチ２４は、操作部材２１の上下動により、ソケット本体１３に対して回動されるようになっており、操作部材２１の下降時には、上方に向けて開く方向に回動されてＩＣパッケージ２１の挿入範囲から待避されるようになっていると共に、操作部材２１の上昇時には、下方に向けて閉じる方向に回動されてＩＣパッケージ２１を上方から押さえるように構成されている。なお、ラッチ２４は図示省略のスプリングによって閉じる方向に付勢されている。
【００３１】
次いで、かかるＩＣソケット１１の使用方法について説明する。
【００３２】
ＩＣパッケージ１２のセット前の状態では、スプリング２２にて操作部材２１が上方に付勢されており、図１及び図４に示すように、ソケット本体１３の突部１３ｂの下面１３ｃに、操作部材２１の係止片２１ｂの下辺部２１ｄが当接することにより、操作部材２１の上昇が規制されて最上昇位置で停止している。
【００３３】
この状態から、ＩＣパッケージ１２をＩＣソケット１１にセットするには、操作部材２１を下方に押し下げる。この操作部材２１の下降時には、ソケット本体１３の突部１３ｂのスライド溝１３ｆ内を、操作部材２１の係止片２１ｂの側縁部２１ｆが下方に移動することにより、操作部材２１は各係止片２１ｂがガイドされて下降されることとなる。
【００３４】
そして、操作部材２１の最下降位置では、図７に示すように、ソケット本体１３の突部１３ｂの上面１３ｄに、操作部材２１の係止片２１ｂの窓開口２１ｃの上辺部２１ｅが当接して操作部材２１の下降が停止される。
【００３５】
このようなものにあっては、ソケット本体１３のスライド溝１３ｆに、操作部材２１の係止片２１ｂの側縁部２１ｆを係合させることにより、操作部材２１のストローク中の全ての位置において、係止片２１ｂの突部１３ｂからの外れを防止することができると共に、操作部材２１のガイドも行うことができる。従って、操作部材２１のストローク途中におけるソケット外方への外れを防止する構造、及びガイドを行う構造を別途形成する必要がなく、構造を簡単にできる。
【００３６】
また、係止片２１ｂの窓開口２１ｃに、ソケット本体１３の突部１３ｂを挿入するようにしており、図１０に示す従来例のように係止片２ａがソケット本体１の被係止部１ｂの外側に位置していないことから、図１０に示す従来の外形寸法Ｌ１より、図６に示すこの実施の形態の外形寸法Ｌ２を短くでき、ＩＣソケット１１の小型化を図ることができる。
【００３７】
さらに、上記のように操作部材２１のストローク量を窓開口２１ｃ及び突部１３ｂの大きさで決定することができ、別の位置にストッパ構造を形成する必要が無く、構造を簡単にできる。
【００３８】
そして、その操作部材２１の下降により、図示省略の機構を介して移動部材１７が図８の（ａ）に示す状態から図８の（ｂ）に示す状態まで図中右方向に向けて移動される。
【００３９】
この移動部材１７のスライドにより、押圧部１７ａにて、コンタクトピン１５の可動側弾性片１５ａが弾性変形されて図８の（ｂ）に示すように両接触部１５ｅ，１５ｆの間が、ＩＣパッケージ１２の半田ボール１２ｂが挿入可能な広さまで開かれる。
【００４０】
これと同時に、操作部材２１の図示省略の作動部により、ラッチ２４が押されて開く方向に回動され、待避位置まで待避される。
【００４１】
この状態で、ＩＣパッケージ１２が自動機から開放されてトッププレート１９の載置面部１９ａ上の所定位置まで案内されてセットされる。
【００４２】
これにより、ＩＣパッケージ１２の各半田ボール１２ｂが、各コンタクトピン１５の開かれた一対の接触部１５ｅ，１５ｆの間に、非接触状態で挿入される。
【００４３】
その後、操作部材２１の下方への押圧力を解除すると、この操作部材２１がスプリング２２の付勢力で上昇され、ラッチ２４がスプリングの付勢力により閉じる方向に回動され、ＩＣパッケージ１２が押さえられると共に、移動部材１７が可動側弾性片１５ａの付勢力により元の位置側に復帰して、両接触部１５ｅ，１５ｆにて半田ボール１２ｂが挟持される。
【００４４】
一方、ＩＣパッケージ１２を装着状態から取り外すには、同様に操作部材２１を下降させることにより、ラッチ２４が待避位置まで回動され、コンタクトピン１５の一対の接触部１５ｅ，１５ｆが半田ボール１２ｂから離間されることから、半田ボール１２ｂが一対の接触部１５ｅ，１５ｆにて挟まれた状態から引き抜く場合よりも弱い力で簡単にＩＣパッケージ１２を外すことが出来る。
【００４５】
なお、上記実施の形態では、ＩＣソケット１１のソケット本体１３と操作部材２１との間の取付構造にこの発明を適用したが、これに限らず、２つの部材が互いに離接する方向に相対移動するものであれば、他のものにも適用できる。
【００４６】
【発明の効果】
以上説明してきたように、各請求項に記載の発明によれば、他方の部材から、一方の部材の側面部に沿うように板状の係止片を延長し、この係止片に窓開口を形成すると共に、一方の部材の側面部に、窓開口内に挿入される突部を形成し、この窓開口の周縁部の離接する方向に沿う側縁部と、突部の離接する方向に沿う側縁部との間に、係止片が突部から外れるのを防止する外れ防止手段を設けたため、外形寸法を小さくすることができると共に、その窓開口と突部の部分で、各部材の移動時における外れ防止及びガイドを行うことができることから、構造を簡単にできる。
しかも、両部材を離間させる方向に移動させた場合に窓開口の周縁部の下辺部と突部の下辺部とが当接して移動が停止されるようにしたため、両部材の離間させる方向の移動量を窓開口及び突部の大きさにより決定することができ、他の部分にストッパ構造等を形成する必要なく、構造を簡単にできる。
【００４７】
請求項３に記載の発明によれば、上記効果に加え、両部材を離間させる方向に移動させた場合に窓開口の周縁部の下辺部と突部の下辺部とが当接して移動が停止され、又、両部材を接近させる方向に移動させた場合に窓開口の周縁部の上辺部と突部の上辺部とが当接して移動が停止されるようにしたため、両部材のストローク量を窓開口及び突部の大きさにより決定することができ、他の部分にストッパ構造等を形成する必要なく、構造を簡単にできる。
【００４８】
請求項４に記載の発明によれば、上記効果に加え、小型化の要求の大きいＩＣソケットに、小型化を図ることができるこの発明を適用することは、極めて有効である。
【図面の簡単な説明】
【図１】この発明の実施の形態に係るＩＣソケットの斜視図である。
【図２】同実施の形態に係るＩＣソケットの平面図である。
【図３】同実施の形態に係るＩＣソケットの一部を破断した正面図である。
【図４】同実施の形態に係る操作部材が最上昇位置にある状態の、ソケット本体の突部と操作部材の係止片とを示す正面図である。
【図５】同実施の形態に係る図４のＡ−Ａ線に沿う断面図である。
【図６】同実施の形態に係る図４のＢ−Ｂ線に沿う断面図である。
【図７】同実施の形態に係る操作部材が最下降位置にある状態を示す、図４に相当する正面図である。
【図８】  同実施の形態に係るコンタクトピン，移動部材及びトッププレートを示す断面図で、（ａ）はコンタクトピンの両接触部が閉じた状態、（ｂ）はコンタクトピンの両接触部が開いた状態を示す図である。
【図９】同実施の形態１に係るＩＣパッケージを示す図で、（ａ）はＩＣパッケージの正面図、（ｂ）は底面図である。
【図１０】従来例を示すソケット本体の被係止部と操作部材の係止片とを示す側面図である。
【符号の説明】
11  ＩＣソケット
12  ＩＣパッケージ
12a パッケージ本体
12b 半田ボール（端子）
13  ソケット本体（一方の部材）
13a 側面部
13b 突部
13c 下面
13d 上面
13e 側縁部
13f スライド溝
15  コンタクトピン
15a 可動側弾性片
15b 固定側弾性片
15e,15f 接触部
21  操作部材（他方の部材）
21b 係止片
21c 窓開口
21d 下辺部（一辺部）
21e 上辺部（他辺部）
21f 側縁部
【図１】
0004022066.tif 000002
【図２】
0004022066.tif 000003
【図３】
0004022066.tif 000004
【図４】
0004022066.tif 000005
【図５】
0004022066.tif 000006
【図６】
0004022066.tif 000007
【図７】
0004022066.tif 000008
【図８】
0004022066.tif 000009
【図９】
0004022066.tif 000010
【図１０】
0004022066.tif 000011